(57)【要約】【課題】空調機等に装備される排水ポンプの低騒音化を図る。【解決手段】下端部に吸込口４２を設け、上面側面に吐出口４６を設けたポンプ本体３０と、ポンプ本体３０にあってモータ１０により駆動される回転羽根５０とからなる。回転羽根５０は複数の大径羽根６０と、大径羽根６０の下方に配設される複数の小径羽根５４と、両羽根６０，５４間に設けられる開口部６３を有する円盤状の部材６２と、大径羽根６０の外周縁を連結する壁部材６４とを備える。円盤状の部材６２の底面６２ａと壁部材の外周面６４ａとにディンプル加工を施す。【選択図】図１
2005030262.tif 000002
【特許請求の範囲】
【請求項１】
下端部に吸込口を設け、上面側面に吐出口を設けたポンプ本体と、上記ポンプ本体にあって、モータにより駆動される回転羽根とからなり、上記回転羽根は複数の大径羽根と、上記大径羽根の下方に配設される複数の小径羽根と、上記羽根間に設けられる開口部を有する円盤状の部材と、上記大径羽根の外周縁を連結する壁部材とを備え、少なくとも、上記円盤状の部材の底面と上記壁部材の外周面とにディンプル加工を施したことを特徴とする排水ポンプ。
【請求項２】
上記回転羽根は、上記モータの出力軸に連結されるシャフト部を有し、上記大径羽根及び小径羽根は、上記シャフト部の軸線を含む平面に配設される板状の羽根であると共に、上記円盤状の部材は上記軸線に直交する平面に配設されることを特徴とする請求項１記載の排水ポンプ。
【請求項３】
上記回転羽根は、上記モータの出力軸に連結されるシャフト部を有し、上記大径羽根は上記シャフト部から放射方向に設けられる板状の羽根であると共に上記小径羽根は上記出力軸方向に設けられる板状の羽根であることを特徴とする請求項１記載の排水ポンプ。
【発明の詳細な説明】
【０００１】
【発明の属する技術分野】
本発明は排水ポンプ、特に空調機に装備される排水ポンプに関する。
【０００２】
【従来の技術】
空調機の室内ユニットは、冷房運転時に熱交換器に空気中の水分が凝縮して付着し、熱交換器の下方に設けられるドレンパン内に滴下する。このドレンパン内に溜ったドレン水を排水するために排水ポンプが装備される。この排水ポンプに関しては、従来各種のものが提案されており、この種のポンプとして例えば特許文献１に記載されている。即ち、下部に吸込口を形成し、上部を開口すると共に、側方に吐出口を設けたハウジング内に回転羽根を回転自在に設け、この羽根をハウジングの開口の上部にカバーを介して固定したモータにより回転させている。
【０００３】
そのモータの回転軸は、カバーを回転自在に貫通して回転羽根の軸部に連結され、上記カバーには大気とハウジングとを連通する貫通孔が設けられている。これにより、モータを駆動して、回転羽根が回転すると、ドレンパン内に貯溜したドレン水は、吸込口の羽根の下端から吸込まれ、遠心力によりハウジング内面に沿って揚水され、ケーシングの吐出口から外部に吐出される。
かかる排水ポンプは、空調機の室内ユニット内に装備されることから、騒音の発生を極力低減させることが望まれる。このため、揚水時及び排水時の騒音発生を低減させる排水ポンプとして、例えば特許文献２に記載されているものである。この特許文献２に記載されている排水ポンプは回転羽根の表面に表面粗度として凹凸を形成している。
【０００４】
【特許文献１】特開平８−１８９６６２号公報
【０００５】
【特許文献２】特開２００２−１３８９９２号公報
【０００６】
【発明が解決しようとする課題】
上記特許文献２に記載される凹凸については、その凹部形成を効率よく容易に実施して、揚水時及び排水時の騒音発生を低減する点に配慮がなされていない。
かかる点に鑑み、本発明は、回転羽根の表面に効率良く容易に凹部を形成し、揚水時及び排水時の騒音を低減できる排水ポンプを提供することを目的とする。
【０００７】
【課題を解決するための手段】
かかる目的を達成するために、本発明に係る排水ポンプは、
下端部に吸込口を設け、上面側面に吐出口を設けたポンプ本体と、上記ポンプ本体にあって、モータにより駆動される回転羽根とからなり、上記回転羽根は複数の大径羽根と、上記大径羽根の下方に配設される複数の小径羽根と、上記羽根間に設けられる開口部を有する円盤状の部材と、上記大径羽根の外周縁を連結する壁部材とを備え、少なくとも、上記円盤状の部材の底面と上記壁部材の外周面とにディンプル加工を施したことを特徴とする。
【０００８】
また、上記回転羽根は、上記モータの出力軸に連結されるシャフト部を有し、上記大径羽根及び小径羽根は、上記シャフト部の軸線を含む平面に配設される板状の羽根であると共に上記円盤状の部材は上記軸線に直交する平面に配設されることを特徴とする。
さらにまた、上記回転羽根は、上記モータの出力軸に連結されるシャフト部を有し、上記大径羽根は上記シャフト部から放射方向に設けられる板状の羽根であると共に上記小径羽根は上記出力軸方向に設けられる板状の羽根であることを特徴とする。
【０００９】
【発明の実施の形態】
図１は、本発明の排水ポンプの全体構成を示す一部を断面とした側面図、図２は回転羽根の側面図、図３は平面図、図４はその要部を示す断面図である。
全体を符号１で示す排水ポンプは、モータ１０と、モータ１０に対して下方に図示しないブラケットを介してとりつけられるポンプ本体３０とを有する。プラスチック製のカバー３２はシール部材３４を介してポンプハウジング４０に連結される。ポンプハウジング４０は、プラスチックでつくられるもので、ポンプ本体３０は、直径が漸次に増加する曲面で形成される底面３２ｂを有すると共に、底面３２ｂに連続して立ち上がるように形成された壁３２ａを有する円筒形のポンプハウジング４０により構成されるポンプ室４４と、ポンプ室４４の中央下部に設けられる吸込口４２を形成する吸込管４３と、ポンプ室４４の上部から水平方向に延びる吐出口４６を形成する吐出管４５とを有する。
【００１０】
カバー３２の上部に装備されるモ−タ１０の出力軸１２は、ポンプ室内に配設される回転羽根５０のシャフト部５２に連結され、シャフト部５２とカバー３２の間は所定の間隙３６を設けている。回転羽根５０は樹脂により作られ、図２に示すように、モ−タの出力軸１２を挿入する穴５２ａを有するシャフト部５２と、シャフト部５２から放射方向に設けられる板状の大径羽根６０と、板状の大径羽根６０の下縁部に、吸込側から吐出側に向う流れを一部せき止めて制限するように取付けた円盤状の部材６２と、円盤状の部材６２を介して大径羽根６０の下部に出力軸方向に設けられる板状の小径羽根５４を有する。即ち、大径羽根６０と小径羽根５４とは、大径羽根６０の小径羽根５４側の外周縁部を連結する円盤状の部材６２を介して接続されている。
【００１１】
また、シャフト部５２の上方には樹脂製の水切円板１４が取付けられ、間隔３６から流出するドレン水がモータ１０側へ飛散するのを防止している。そして、回転羽根５０の小径羽根５４は、ポンプポンプハウジング４０のパイプ状の吸込口４２内に位置すると共に大径羽根６０はポンプ室４４内に配置される。
本実施形態にあっては、大径羽根６０及び小径羽根５４は樹脂により一体的に構成され、それぞれ４枚の平板であるが、その枚数は適宜に選択される。大径羽根６０の間には円盤状の部材６２の表面上に立設されて補助羽根６８が設けられる。この補助羽根６８によりポンプの揚程を高くすることができる。なお、補助羽根６８は複数枚設けても良い。
【００１２】
また、小径羽根５４の先端部は先細りのテーパ面５６に形成される。このテーパ面５６の傾斜角は、例えば４５度に形成される。
さらに、本実施形態では、大径羽根６０と補助羽根６８の外周端は円筒状の壁部材６４によって連結され、円筒状の壁部材６４はその高さが大径羽根６０と補助羽根６８の上縁部の高さ寸法より低くして設けられているが、円筒状の壁部材６４の高さは、大径羽根６０と補助羽根６８の上縁部の高さとは同一であってもよい。
そして、大径羽根６０の外周部を壁部材で囲む構成とすることによって、排水ポンプの停止時に、吐出口側から吸込口側へ流れる戻り水は、この壁部材に突き当って緩衝され、スムーズに吸込口へ落下する。したがって、戻り水による騒音も低減する等の効果を有する。
【００１３】
かかる構成により、モータ１０の駆動により回転羽根５０が所定方向へ回転されると、小径羽根５４で吸込口４２から吸込まれた流体は上昇してポンプ室４４に到達し、大径羽根６０により吐出口４６から吐出される。この際、円盤状の部材６２の存在により、上昇してくる液面がほぼ上下に分断され、流れが制限される如く一部せき止められ、大径羽根６０に接する流体は吐出されることとなる。
【００１４】
本実施形態においては、大径羽根６０と小径羽根５４はそれぞれ４枚で構成される場合を示しているが、これらの羽根の枚数は４枚に限らず、適宜の枚数に設定することができる。大径羽根６０は、平板状のものであって、シャフト部５２の軸線を含む平面に配設される。小径羽根５４も同様にシャフト部５２の軸線を含む平面に配設される。大径羽根６０と小径羽根５４は同一平面内に配設することができるが、同一平面以外に位相を変えて配設することもできる。大径羽根６０の下縁部に取付けられる円盤状の部材６２は、小径羽根５４の接続部に設けられ、内側に環状の開口部６３を有する。円盤状の部材６２は、シャフト部５２の軸線に直交する平面に配設され、外径寸法は大径羽根６０の外径寸法とほぼ等しく、半径方向で内径方向に延び、内周部に開口部を有する。円盤状の部材６２の取付位置は、大径羽根６０の最も小径羽根５４側に設けてもよく、また、大径羽根６０の高さ方向の任意の位置に設けてもよい。
【００１５】
しかも、本発明の排水ポンプにあっては、回転羽根５０の表面である円盤状の部材６２の底面６２ａと、円筒状の壁部材６４の外周面６４ａの少なくとも一方にディンプル成形が施され、これにより、底面６２ａと外周面６４ａの一方又は両方に凹部が形成されている。
【００１６】
図４は、ディンプル成形が施された円盤状の部材６２の底面６２ａ又は円筒状の壁部材６４の外周面６４ａの一部分を表し、６５はディンプル成形による凹部であり、凹部６５の深さＬは、例えば０．０５〜０．３ｍｍ程度、その直径Ｄは例えば０．５〜３ｍｍ程度である。
【００１７】
かかるディンプル成形により、モータ１０の回転数が５０及び６０サイクル時の騒音がそれぞれ３３ｄＢ及び３７ｄＢであり、従来の場合がそれぞれ３８ｄＢ及び４２ｄＢであるのに比較し、騒音が大幅に低減されるのである。
かかる騒音低下は、次のように考えられる。即ち、回転羽根５０は水と接触して水に運動エネルギーを伝達するので、この水との接触面に凹部を設けることによって、水に発生する気泡を減らし、気泡がつぶれる際に生ずる騒音が低減されるものである。
【００１８】
【発明の効果】
本発明は以上のように、回転羽根の表面にディンプル成形をほどこすことにより、揚水時の騒音を低減することができ、排水ポンプの構成を大幅に変更せずに排水ポンプの特性を向上させることができるものである。
【図面の簡単な説明】
【図１】本発明の排水ポンプの一実施形態を一部断面にして示す側面図。
【図２】図１の回転羽根の側面図。
【図３】図１の回転羽根の平面図。
【図４】同実施形態の要部を示す断面図。
【符号の説明】
１・・  排水ポンプ  １０・・  モータ  １２・・出力軸  １４・・  水切円板
３０・・ポンプ本体  ３２・・  カバー  ３２ａ・・壁    ３２ｂ・・底面
３４・・シール部材  ３６・・間隙
４０・・  ポンプハウジング  ４２・・  吸込口          ４３・・吸込管
４５・・吐出管              ４４・・  ポンプ室    ４６・・  吐出口
５０・・  回転羽根                ５２・・シャフト部    ５２ａ・・穴
５４・・小径羽根                ５６・・テーパ面
６０・・大径羽根    ６２・・円盤状の部材    ６２ａ・・円盤状の部材の底面
６３・・開口部      ６４・・円筒状の壁部材
６４ａ・・円筒状の壁部材の外周面    ６５・・凹部          ６８・・補助羽根
Ｄ・・凹部６５の直径          Ｌ・・凹部６５の深さ
【図１】
2005030262.tif 000003
【図２】
2005030262.tif 000004
【図３】
2005030262.tif 000005
【図４】
2005030262.tif 000006